(57)【要約】【課題】ＵＳＢメモリを介することなく画像ファイルをパーソナルコンピュータに受け渡す。【解決手段】筆記面と、読取部と、記憶部と、インターフェイスと、記憶制御部と、を備える。前記読取部は、前記筆記面上の描画を画像データとして読み取る。前記記憶部は、前記画像データを記憶する。前記インターフェイスは、前記画像データを外部機器に転送する。前記記憶制御部は、前記インターフェイスに前記画像データを記憶する記憶媒体を有する前記外部機器が接続されている場合は、前記外部機器に前記画像データを記憶させて、前記インターフェイスに前記画像データを記憶する記憶媒体を有する前記外部機器が接続されてない場合は、前記記憶部に前記画像データを記憶させる制御を行う。【選択図】図１
2014233892.tif 000002
【特許請求の範囲】
【請求項１】
筆記面と、
前記筆記面上の描画を画像データとして読み取る読取部と、
前記画像データを記憶する記憶部と、
前記画像データを外部機器に転送するインターフェイスと、
前記インターフェイスに前記画像データを記憶する記憶媒体を有する前記外部機器が接続されている場合は、前記外部機器に前記画像データを記憶させて、前記インターフェイスに前記画像データを記憶する記憶媒体を有する前記外部機器が接続されてない場合は、前記記憶部に前記画像データを記憶させる制御を行う記憶制御部と、
を備える電子黒板装置。
【請求項２】
前記インターフェイスに前記外部機器として情報処理装置が接続された場合に、前記情報処理装置による前記記憶部への参照を制御する参照制御部と、
を更に備える、
請求項１に記載の電子黒板装置。
【請求項３】
前記画像データの印刷を制御する印刷制御部と、
を更に備え、
前記参照制御部は、前記読取部が描画の読み取りを開始してから、前記印刷制御部が印刷を完了するまでの期間、前記情報処理装置が前記記憶部を参照できない状態に制御する、
請求項２に記載の電子黒板装置。
【請求項４】
前記読取部の前記筆記面上の描画の読み取りに関する操作が入力される操作部と、
を更に備え、
前記参照制御部は、前記操作部から操作が入力されないまま一定時間経過した場合に、前記情報処理装置が前記記憶部を参照できない状態に制御する、
請求項２または３に記載の電子黒板装置。
【請求項５】
前記記憶部は、前記情報処理装置に対して読み取り専用の記憶媒体である、
請求項１ないし４のいずれか一に記載の電子黒板装置。
【請求項６】
前記記憶制御部は、前記操作部から操作されないまま一定時間経過した場合に、前記画像データを削除する、
請求項１ないし５のいずれか一に記載の電子黒板装置。
【発明の詳細な説明】
【技術分野】
【０００１】
本発明の実施形態は、電子黒板装置に関する。
【背景技術】
【０００２】
従来、筆記領域にマーカーペン等の筆記具で筆記された筆記内容（例えば、文字や図形、表）をスキャナで読み取ってデジタルデータ化し、プリンタからその筆記内容を、印刷または画像ファイルとして出力できるようにした電子黒板装置がある。
【０００３】
このような電子黒板装置においては、予めＵＳＢ（Universal  Serial  Bus）メモリが接続されている場合に、画像ファイルをＵＳＢメモリに出力する構成となっていた。
【発明の概要】
【発明が解決しようとする課題】
【０００４】
しかしながら、近年、情報漏洩を防止するためにＵＳＢメモリの使用を禁止している企業が増加している。そのため、筆記内容を画像ファイルとして保存することが困難な状態になっている。
【課題を解決するための手段】
【０００５】
実施形態の電子黒板装置は、筆記面と、読取部と、記憶部と、インターフェイスと、記憶制御部と、を備える。前記読取部は、前記筆記面上の描画を画像データとして読み取る。前記記憶部は、前記画像データを記憶する。前記インターフェイスは、前記画像データを外部機器に転送する。前記記憶制御部は、前記インターフェイスに前記画像データを記憶する記憶媒体を有する前記外部機器が接続されている場合は、前記外部機器に前記画像データを記憶させて、前記インターフェイスに前記画像データを記憶する記憶媒体を有する前記外部機器が接続されてない場合は、前記記憶部に前記画像データを記憶させる制御を行う。
【図面の簡単な説明】
【０００６】
【図１】図１は、実施形態に係る電子黒板装置を示す斜視図である。
【図２】図２は、電子黒板装置の内部構造を概略的に示す横断平面図である。
【図３】図３は、電子黒板装置の内部構造を概略的に示す縦断正面図である。
【図４】図４は、電子黒板装置のハードウェア構成を示すブロック図である。
【図５】図５は、操作パネルを示す正面図である。
【図６】図６は、電子黒板装置のソフトウェア構成を示す図である。
【図７】図７は、画像ファイルの保存処理を示すフローチャートである。
【図８】図８は、一定時間操作が行われずＲＡＭディスクを無効状態とする処理を示すフローチャートである。
【発明を実施するための形態】
【０００７】
以下に添付図面を参照して、実施形態に係る電子黒板装置の最良な実施形態を詳細に説明する。
【０００８】
図１は、実施形態に係る電子黒板装置１００を示す斜視図である。図２は、電子黒板装置１００の内部構造を概略的に示す横断平面図である。図３は、電子黒板装置１００の内部構造を概略的に示す縦断正面図である。
【０００９】
図１に示すように、電子黒板装置１００は、一対のスタンド１０１と、一対のスタンド１０１によって支持される長方形のフレーム１１０とを備えており、床面に設置される。フレーム１１０は、筆記者側が開放された開口部１１０ａとなっており、筆記者側とは反対側の面はカバー１１０ｂ（図２参照）で覆われている。このフレーム１１０には、エンドレスな帯状の筆記用の筆記シート１０２が収納されている。なお、筆記シート１０２の素材は、ポリエチレン製などが採用される。
【００１０】
電子黒板装置１００は、フレーム１１０の筆記者側となる開口部１１０ａから外部に露出した部分の筆記シート１０２が、マーカーペン等によって文字や図形等の描画が筆記される板面である筆記面１０３となる。この筆記された描画は、溶剤等が含浸されたクリーナなどで拭き取ることにより容易に消去することができる。
【００１１】
また、筆記面１０３側から見てフレーム１１０の右下には、ＣＣＤラインセンサ３０４（図２及び図３参照）によって読み取られた描画を用紙（図示せず）に印刷して発行するためのプリンタ１０４が設けられる。
【００１２】
フレーム１１０は、筆記面１０３の上方に位置する上縁部１１１と、筆記面１０３の両側に位置する左側縁部１１２及び右側縁部１１３と、筆記面１０３の下方に位置し、手前側に向け突出形成された下側棚部１１４とを備える。
【００１３】
フレーム１１０において、上縁部１１１と、左側縁部１１２及び右側縁部１１３とは、上縁部１１１の両側に配置された左上側コーナ部材１１５及び右上側コーナ部材１１６を介して接続されている。また、フレーム１１０において、下側棚部１１４は、左側縁部１１２及び右側縁部１１３の両下方に配置された左下側コーナ部材１１７及び右下側コーナ部材１２０を介して接続される。
【００１４】
フレーム１１０の下側棚部１１４は、筆記面１０３より手前側に突出する。これにより、下側棚部１１４は、マーカーペンやクリーナを配置することができる他、筆記面１０３の描画をクリーナで除去した際に発生する消し粉を受けることができる。
【００１５】
フレーム１１０の右側縁部１１３には、電子黒板装置１００を操作する操作パネル１０７が一体的に設けられる。
【００１６】
さらに、右下側コーナ部材１２０には、電源スイッチ１４１と、第１のＵＳＢポート１４２と、第２のＵＳＢポート１４３と、第３のＵＳＢポート１４４とが設けられる。電源スイッチ１４１は、電子黒板装置１００のオンオフ操作を行う。第１のＵＳＢポート１４２と、第２のＵＳＢポート１４３と、第３のＵＳＢポート１４４とには、それぞれ異なる外部機器が接続される。具体的には、第１のＵＳＢポート１４２は、プリンタ１０４が接続されるコネクタである。第２のＵＳＢポート１４３は、ＵＳＢメモリ１５０（図４参照）が接続されるコネクタである。第３のＵＳＢポート１４４は、情報処理装置であるパーソナルコンピュータ１６０（図４参照）が接続されるコネクタである。ここで、ＵＳＢメモリ１５０とは、記憶媒体を有しており、筆記内容である画像ファイルが記憶される。
【００１７】
図２に示すように、筆記面１０３側から見てフレーム１１０内の左右両端部には、筆記シート１０２を回転して搬送させる一対のローラ２０１が設けられる。ローラ２０１は、鉛直方向に向けられた軸心を有する。一対のローラ２０１間には、エンドレスとなった帯状の筆記シート１０２が掛け渡されて、ベルト伝動機構（図示せず）を介してモータ２０２（図４参照）が連結される。そして、ローラ２０１は、モータ２０２が駆動するとベルト伝動機構（図示せず）を介して回転する。このローラ２０１の回転により筆記シート１０２は、筆記面１０３に対して左右方向（正逆方向）に回転搬送される。すなわち、筆記シート１０２を正逆方向に回転搬送するシート送り部は、ローラ２０１、ベルト伝動機構、及びモータ２０２によって構成される。
【００１８】
筆記シート１０２の筆記面１０３のすぐ背後には、筆記面１０３に対する筆記性を高めるための筆記ボード２５１が配設される。
【００１９】
筆記シート１０２の筆記面１０３と反対側（以下、筆記シート１０２の背面側と称する）には、筆記面１０３に筆記された文字、図形等の描画を画像データとして読み取るための光学読取部２０３が設けられる。読取部である光学読取部２０３は、筆記シート１０２の背面側であって一方のローラ２０１側にある。また、光学読取部２０３は、筆記シート１０２に光を照射するための、例えば蛍光灯などの光源３０１を有する。
【００２０】
電子黒板装置１００は、光学読取部２０３の一部として、ミラー３０２及びレンズ３０３を有する。光学読取部２０３は、光源３０１が筆記シート１０２へと光を照射して、その反射光を集光する縮小光学系である光学系３０５と、光学系３０５により集光された光を受光するＣＣＤラインセンサ３０４とを備える。
【００２１】
図４は、電子黒板装置１００のハードウェア構成を示すブロック図である。図４に示すように、電子黒板装置１００は、各種の動作を制御するＣＰＵ（Central  Processing  Unit）４０１を備える。ＣＰＵ４０１は、バスライン４１１を介して、制御プログラムや画像処理パラメータ等の固定データを記憶するＲＯＭ（Read  Only  Memory）４０２と、各種データを一時的に記憶しワークエリアとして使用されるＲＡＭ（Random  Access  Memory）４０３とを接続する。なお、ＲＯＭ４０２は、ＣＰＵ４０１に内蔵されていてもよい。また、ＣＰＵ４０１は、バスライン４１１を介して操作パネル１０７と、モータ２０２と、画像処理部４０４と、点灯回路４０５と、ＵＳＢコントローラ４０６と、電源制御部４０８とを接続する。
【００２２】
ここで、図５は、操作パネル１０７を示す正面図である。操作部である操作パネル１０７は、印刷枚数ボタン１０７ａと、印刷枚数表示１０７ｂと、濃淡ボタン１０７ｃと、濃淡表示１０７ｄと、シート送りボタン１０７ｅと、コピー・書込みボタン１０７ｆとを備える。印刷枚数ボタン１０７ａは、筆記面１０３に筆記された描画の印刷枚数を設定するボタンである。印刷枚数は、１枚から９枚までの間で設定することができる。印刷枚数ボタン１０７ａが押下されると、ＣＰＵ４０１は、印刷設定枚数を１枚ずつ増やす。印刷枚数表示１０７ｂは、現在設定されている印刷枚数を表示する。
【００２３】
濃淡ボタン１０７ｃは、印刷時の色の濃さを変えるボタンである。濃淡ボタン１０７ｃが押下されると、ＣＰＵ４０１は、筆記面１０３に筆記された描画を印刷する際に色を濃くする。色を濃くすることで、色の薄いペンやかすれたペンで筆記した場合であっても、プリンタ１０４は、濃い色で印刷することから視認性の高い書類を印刷することができる。また、濃淡表示１０７ｄは、濃淡ボタン１０７ｃにて色を濃くする設定時に点灯する。
【００２４】
シート送りボタン１０７ｅは、筆記面１０３に露出している筆記シート１０２に変わり、フレーム内部の筆記シート１０２を筆記面１０３に露出させるボタンである。シート送りボタン１０７ｅが押下されると、ＣＰＵ４０１は、モータ２０２を制御してローラ２０１を回転させることによりフレーム内部の筆記シート１０２を筆記面１０３に露出させる。
【００２５】
コピー・書込みボタン１０７ｆは、筆記面１０３を読み取り生成された画像ファイルを印刷させるボタンである。また、その際、ＣＰＵ４０１は、ＵＳＢメモリ１５０または、ＲＡＭディスク４０３ｂ（図６参照）の何れか一方に、画像ファイルを保存する。
【００２６】
モータ２０２は、前述したように、ローラ２０１を回転させることで、筆記シート１０２を筆記面１０３に対して左右方向（正逆方向）に回転搬送する。
【００２７】
画像処理部４０４は、ＣＣＤラインセンサ３０４が１ライン毎に読み取った電気信号を、増幅器（図示せず）による増幅や、オフセット回路（図示せず）によるオフセット補正を行う。その後、画像処理部４０４は、Ａ／Ｄ変換部（図示せず）でデジタル信号の画像データに変換する。画像データに変換後、画像処理部４０４は、シェーディング補正回路（図示せず）によるシェーディング補正と、明度補正回路（図示せず）による明度補正とを実施した画像データをＲＡＭ４０３に記憶させる。
【００２８】
点灯回路４０５は、前述した光源３０１の点灯を制御する。
【００２９】
インターフェイスであるＵＳＢコントローラ４０６は、ＵＳＢデバイスとの転送を制御する。ＵＳＢデバイスとは、第１のＵＳＢポート１４２を介して接続されるプリンタ１０４や、第２のＵＳＢポート１４３を介して接続されるＵＳＢメモリ１５０や、第３のＵＳＢポート１４４を介して接続されるパーソナルコンピュータ１６０などである。
【００３０】
ＵＳＢポートにＵＳＢデバイスが接続されると、ＵＳＢコントローラ４０６は、ＵＳＢデバイスを認識する。その後、ＵＳＢコントローラ４０６は、接続されたＵＳＢデバイスに対してアドレスを割り当てる。
【００３１】
その後、ＵＳＢコントローラ４０６は、ＵＳＢデバイスのディスクリプタの取得を開始する。ディスクリプタは、デバイスの特性や、属性などを含む情報である。ディスクリプタの種類は、デバイスディスクリプタや、コンフィグレーションディスクリプタや、インターフェイスディスクリプタや、エンドポイントディスクリプタなどがある。
【００３２】
デバイスディスクリプタは、ディスクリプタを送信したＵＳＢデバイスを識別するための情報などを持つ。デバイスディスクリプタの情報とは、例えば、デバイスクラス、ベンダＩＤ、プロダクトＩＤ、リリース番号、及びコンフィギュレーションの数などである。
【００３３】
コンフィグレーションディスクリプタは、デバイスのＵＳＢ構成情報を含み、インターフェイスディスクリプタとエンドポイントディスクリプタとの数を示す情報などを持つ。インターフェイスディスクリプタは、インターフェイスの情報を含み、インターフェイスとしての仕様を示す情報などを持つ。エンドポイントディスクリプタは、通信用のポートであるエンドポイントの情報などを持つ。
【００３４】
そして、ＵＳＢコントローラ４０６は、ディスクリプタを取得することで得られた情報を基にデータ転送を制御する。また、ＵＳＢコントローラ４０６は、ディスクリプタを取得することで得られたＵＳＢのデバイスクラスが、例えば、ＵＳＢマスストレージクラスなどの補助記憶装置を接続することができるデバイスクラスであるか否かを判定する。
【００３５】
電子黒板装置１００に３つあるＵＳＢポートは、それぞれコネクタの種類を変えることが好ましい。例えば、プリンタ１０４が接続される第１のＵＳＢポート１４２とパーソナルコンピュータ１６０が接続される第３のＵＳＢポート１４４は、ＴｙｐｅＢのコネクタを採用する。そして、ＵＳＢメモリ１５０が接続される第２のＵＳＢポート１４３は、ＴｙｐｅＡを採用する。コネクタの種類を変えることより、コネクタの形状が変わるため、ユーザは、ＵＳＢデバイスを差し込むＵＳＢポートを間違えることが無くなる。
【００３６】
電源制御部４０８は、バスライン４１１を介してＣＰＵ４０１に接続されており、電源スイッチ１４１により電源制御部４０８を操作して電子黒板装置１００のオンオフ操作を行う。
【００３７】
このように構成された電子黒板装置１００で、ＣＰＵ４０１がＲＯＭ４０２に格納されたソフトウェアに従い実行する処理について説明する。
【００３８】
ここで、図６は、電子黒板装置１００のソフトウェア構成を示す図である。電子黒板装置１００のソフトウェアは、ＣＰＵ４０１と協働することにより各種制御を行う。ソフトウェアと協働することによってＣＰＵ４０１は、記憶領域としてＲＡＭ４０３を使用する。ＣＰＵ４０１は、盤面読み取り部４０１ａと、画像ファイル作成部４０１ｂと、ＲＡＭディスク制御部４０１ｃと、ＵＳＢメモリ出力部４０１ｄと、プリンタ出力部４０１ｅとを備える。ＲＡＭ４０３は、ワークエリア４０３ａと、ＲＡＭディスク４０３ｂとを備える。
【００３９】
ワークエリア４０３ａは、画像ファイルを生成する際に使用される領域である。
【００４０】
記憶部であるＲＡＭディスク４０３ｂは、画像ファイルが保存される領域である。そして、ＲＡＭディスク４０３ｂは、電源の供給が無くなると情報を保持できない揮発性のメモリである。よって、電源スイッチ１４１がＯＦＦの場合に、画像ファイルは、ＲＭＡディスクから消去される。
【００４１】
また、ＲＡＭディスク４０３ｂは、新たに画像ファイルをＲＡＭディスク４０３ｂに保存する場合に、既存の画像ファイルが後述するＣＰＵ４０１の制御により削除される。画像ファイルが削除されることで、ＲＡＭディスク４０３ｂは、新たな画像ファイルを保存する際に容量不足となってしまうことを防ぐことができる。また、ＲＡＭディスク４０３ｂは、一定時間操作が行われない場合にも画像ファイルが削除される。よって、ＲＡＭディスク４０３ｂは、例えば、電源スイッチ１４１をＯＦＦにせず、画像ファイルの削除を忘れた場合であっても情報漏洩を防止することができる。
【００４２】
また、ＲＡＭディスク４０３ｂは、第３のＵＳＢポート１４４を介してパーソナルコンピュータ１６０が参照可能となっている。よって、パーソナルコンピュータ１６０は、ＲＡＭディスク４０３ｂにある画像ファイルを参照したり、画像ファイルをパーソナルコンピュータ１６０に転送することができる。そして、ＲＡＭディスク４０３ｂは、パーソナルコンピュータ１６０に対して、読み取り専用の領域となっている。読み取り専用であることから、ＲＡＭディスク４０３ｂは、保存された画像ファイルが書き換えられることを防ぐことができる。また、読み取り専用であるため、ＲＡＭディスク４０３ｂは、ユーザによって意図しないファイルが保存されることを防ぐことができる。意図しないファイルが保存されないことから、ＲＡＭディスク４０３ｂは、新たな画像ファイルの生成と保存とをする際に記憶領域が不足することを防ぐことができる。
【００４３】
盤面読み取り部４０１ａは、モータ２０２と、点灯回路４０５と、ＣＣＤラインセンサ３０４とを制御して筆記面１０３の描画を読み取る。盤面読み取り部４０１ａは、モータ２０２を駆動させて回転搬送させる。その際、盤面読み取り部４０１ａは、点灯回路４０５を制御して光源３０１の光を筆記シート１０２に照射させて、反射光をＣＣＤラインセンサ３０４にて受光させる。これにより、盤面読み取り部４０１ａは、筆記面１０３の描画を読み取り、電気信号を生成する。
【００４４】
画像ファイル作成部４０１ｂは、画像処理部４０４を制御して画像ファイルを生成する。画像ファイル作成部４０１ｂは、ＣＣＤラインセンサ３０４により１ライン毎に読み取り生成した電気信号を増幅や補正後にＡ／Ｄ変換を行う。その後、画像ファイル作成部４０１ｂは、Ａ／Ｄ変換したデジタル信号から画像ファイルを生成する。画像ファイルの画像ファイルフォーマットは、例えば、ＴＩＦＦ形式である。
【００４５】
その後、記憶制御部である画像ファイル作成部４０１ｂは、ＵＳＢメモリ１５０とＲＡＭディスク４０３ｂの何れに画像ファイルを出力するかを判定する。画像ファイル作成部４０１ｂは、ＵＳＢメモリ１５０が第２のＵＳＢポート１４３に接続されている場合に、ＵＳＢメモリ１５０に画像ファイルを出力する。一方、画像ファイル作成部４０１ｂは、ＵＳＢメモリ１５０が第２のＵＳＢポート１４３に接続されていない場合に、ＲＡＭディスク４０３ｂに画像ファイルを出力する。
【００４６】
ここで、画像ファイルのファイル名は、例えば、ＴＢ＿ＩＭＧｎｎ．ＴＩＦである。そして、ファイル名のｎｎは、コピー・書込みボタン１０７ｆが押下されると、０１から９９までの間で、１ずつカウントアップする。ファイル名のｎｎは、電源スイッチ１４１がＯＦＦになるか、又はｎｎが９９となった場合に００となる。これにより、画像ファイルは、コピー・書込みボタン１０７ｆを押下する度に、ファイル名を変えなくても上書き保存されることはない。
【００４７】
参照制御部であるＲＡＭディスク制御部４０１ｃは、ＲＡＭディスク４０３ｂへの画像ファイルの保存と、ＲＡＭディスク４０３ｂの無効状態への移行とを制御する。ＲＡＭディスク４０３ｂの無効状態とは、パーソナルコンピュータ１６０がＲＡＭディスク４０３ｂを参照できない状態にすることである。
【００４８】
ＲＡＭディスク４０３ｂへの画像ファイルの保存について説明を行う。ＲＡＭディスク制御部４０１ｃは、画像ファイル作成部４０１ｂが画像ファイルをＲＡＭディスク４０３ｂに保存すると判定した場合にＲＡＭディスク４０３ｂへの保存を制御する。また、ＲＡＭディスク４０３ｂに画像ファイルを保存する際に、前回の画像ファイルがＲＡＭディスク４０３ｂに保存されている場合に、画像ファイル作成部４０１ｂは、古い画像ファイルを削除後に新しい画像ファイルを保存する。
【００４９】
ＲＡＭディスク制御部４０１ｃは、電源スイッチ１４１がＯＦＦの場合と、一定時間操作が行われなかった場合と、盤面読み取り部４０１ａの盤面の読み取りから印刷完了までの期間と、にＲＡＭディスク４０３ｂを無効状態にする。
【００５０】
電源スイッチ１４１がＯＦＦの場合にＲＡＭディスク４０３ｂを無効状態とする制御について説明を行う。電源制御部４０８がＯＦＦとなっている場合に、ＲＡＭディスク制御部４０１ｃは、ＲＡＭディスク４０３ｂを無効状態に移行させる制御を行う。
【００５１】
一定時間操作が行われなかった場合にＲＡＭディスク４０３ｂを無効状態とする制御について説明を行う。ＲＡＭディスク制御部４０１ｃは、一定時間内に操作パネル１０７のボタンの何れもが押下されない場合に、ＲＡＭディスク４０３ｂを無効状態にする。ＲＡＭディスク制御部４０１ｃは、ワークエリア４０３ａの一部領域に、一定時間を計測するカウンタの値を記憶させる。そして、ＲＡＭディスク制御部４０１ｃは、ボタンが押下されるまでカウントダウンさせる。カウンタ値がゼロとなった場合に、ＲＡＭディスク制御部４０１ｃは、ボタンが押されずに、一定時間経過したと判定する。また、一定時間とは、例えば、一時間などである。
【００５２】
盤面読み取り部４０１ａが、筆記面１０３の読み取り開始から印刷完了までの期間だけＲＡＭディスク４０３ｂを無効状態とする制御について説明を行う。操作パネル１０７のコピー・書込みボタン１０７ｆが押下されると、ＲＡＭディスク制御部４０１ｃは、ＲＡＭディスク４０３ｂを無効状態にする。その後、ＲＡＭディスク４０３ｂへの保存と、プリンタ出力部４０１ｅから印刷が完了した旨の通知とを受けて、ＲＡＭディスク制御部４０１ｃは、ＲＡＭディスク４０３ｂを有効状態にする。
【００５３】
ＲＡＭディスク制御部４０１ｃは、ＲＡＭディスク４０３ｂを無効状態にすることで、ユーザが生成途中の画像ファイルを完成した画像ファイルだと誤解することを防ぐことができる。また、パーソナルコンピュータ１６０からＲＡＭディスク４０３ｂにアクセスがあった場合に、ＣＰＵ４０１は、応答をしなければならない。しかし、ＲＡＭディスク４０３ｂを無効状態することにより、ＲＡＭディスク４０３ｂが参照できなくなるため、ＣＰＵ４０１は、応答する必要がない。よって、電子黒板装置１００は、より性能の低いＣＰＵ４０１を採用することができるため低消費電力で且つ、安価に作成することができる。
【００５４】
また、ＲＡＭディスク４０３ｂが無効状態へ移行すると、ＲＡＭディスク制御部４０１ｃは、ＲＡＭディスク４０３ｂの画像ファイルを削除する。一定時間経過すると自動的に画像ファイルが削除されることにより、情報漏洩を防止することができる。
【００５５】
ＵＳＢメモリ出力部４０１ｄは、ＵＳＢコントローラ４０６を制御して画像ファイルをＵＳＢメモリ１５０へ保存させる。ＵＳＢメモリ出力部４０１ｄは、画像ファイル作成部４０１ｂが画像ファイルをＵＳＢメモリ１５０に保存すると判定した場合にＵＳＢメモリ１５０への保存を制御する。
【００５６】
印刷制御部であるプリンタ出力部４０１ｅは、画像ファイル作成部４０１ｂが生成した画像ファイルを指定された設定で印刷する制御を行う。具体的には、プリンタ出力部４０１ｅは、ワークエリア４０３ａの一部を印刷枚数ボタン１０７ａで指定された印刷枚数を保存する領域として使用する。そして、プリンタ出力部４０１ｅは、印刷枚数ボタン１０７ａで設定された印刷枚数を印刷枚数表示１０７ｂに表示させる。
【００５７】
また、プリンタ出力部４０１ｅは、ワークエリア４０３ａの一部を濃淡ボタン１０７ｃで指定された濃さを保存する領域として使用する。そして、プリンタ出力部４０１ｅは、濃淡ボタン１０７ｃで設定された濃さを濃淡表示１０７ｄに表示させる。そして、コピー・書込みボタン１０７ｆが押下されると、プリンタ出力部４０１ｅは、プリンタ１０４を制御して画像ファイルを設定された濃さで、設定された枚数だけ印刷する。
【００５８】
次に、コピー・書込みボタン１０７ｆが押下され、画像ファイルが保存される場合の処理について説明を行う。図７は、画像ファイルの保存処理を示すフローチャートである。
【００５９】
電源スイッチ１４１が押下されると、電源制御部４０８は、電子黒板装置１００の電源をＯＮ状態にする（ステップＳ１）。
【００６０】
操作パネル１０７の印刷枚数ボタン１０７ａが押下されると、プリンタ出力部４０１ｅは、指定された印刷枚数をワークエリア４０３ａに記憶させる（ステップＳ２）。また、プリンタ出力部４０１ｅは、指定された枚数を印刷枚数表示１０７ｂに表示させる。
【００６１】
操作パネル１０７の濃淡ボタン１０７ｃが押下されると、プリンタ出力部４０１ｅは、指定された濃さをワークエリア４０３ａに記憶させる（ステップＳ３）。また、プリンタ出力部４０１ｅは、指定された濃さを濃淡表示１０７ｄに表示させる。
【００６２】
操作パネル１０７のコピー・書込みボタン１０７ｆが押下されると、ＲＡＭディスク制御部４０１ｃは、ＲＡＭディスク４０３ｂを無効状態にする（ステップＳ４）。その後、ＲＡＭディスク制御部４０１ｃは、ＲＡＭディスク４０３ｂに保存されている画像ファイルを削除する（ステップＳ５）。
【００６３】
その後、盤面読み取り部４０１ａは、モータ２０２と、点灯回路４０５と、ＣＣＤラインセンサ３０４とを制御して筆記面１０３の描画を読み取る（ステップＳ６）。
【００６４】
筆記面１０３の読み取りが完了すると、画像ファイル作成部４０１ｂは、画像処理部４０４を制御して画像ファイルを生成する（ステップＳ７）。
【００６５】
生成した画像ファイルを、プリンタ出力部４０１ｅは、プリンタ１０４を制御して指定された設定に従って印刷を開始する（ステップＳ８）。
【００６６】
画像ファイル作成部４０１ｂは、ＵＳＢコントローラ４０６を制御して第２のＵＳＢポート１４３がＵＳＢ接続されているか否かを判定する（ステップＳ９）。ＵＳＢ接続されていない場合（ステップＳ９；Ｎｏ）、ＲＡＭディスク制御部４０１ｃは、生成された画像ファイルをＲＡＭディスク４０３ｂに書き込む（ステップＳ１０）。
【００６７】
一方、ＵＳＢ接続されている場合（ステップＳ９；Ｙｅｓ）、ＵＳＢメモリ出力部４０１ｄは、取得したディスクリプタのデバイスクラスが、ＵＳＢメモリ１５０などの補助記憶装置を接続することができるデバイスクラスであるか否かを判定する（ステップＳ１１）。
【００６８】
ＵＳＢメモリ１５０などの補助記憶装置を接続することができないデバイスクラスの場合（ステップＳ１１；Ｎｏ）、ＲＡＭディスク制御部４０１ｃは、画像ファイルをＲＡＭディスク４０３ｂに書き込む（ステップＳ１０）。一方、ＵＳＢメモリ１５０などの補助記憶装置を接続することができるデバイスクラスの場合（ステップＳ１１；Ｙｅｓ）、ＵＳＢメモリ出力部４０１ｄは、画像ファイルをＵＳＢメモリ１５０に書き込む（ステップＳ１２）。
【００６９】
その後、印刷と画像ファイルの書き込みが完了すると、ＲＡＭディスク制御部４０１ｃは、ＲＡＭディスク４０３ｂを有効状態にする（ステップＳ１３）。
【００７０】
次に、一定時間操作が行われず、ＲＡＭディスク４０３ｂを無効状態とする場合について説明を行う。図８は、一定時間操作が行われずＲＡＭディスク４０３ｂを無効状態とする処理を示すフローチャートである。
【００７１】
電源スイッチ１４１が押下されると、電源制御部４０８は、電子黒板装置１００の電源をＯＮ状態にする（ステップＴ１）。
【００７２】
その後、ＲＡＭディスク制御部４０１ｃは、操作パネル１０７の何れかのボタンが押下されるまで、一定時間経過したか否かを判定する（ステップＴ２）。一定時間が経過していない場合（ステップＴ２；Ｎｏ）、ＲＡＭディスク制御部４０１ｃは、操作パネル１０７のボタンが押下されたか否かを判定する（ステップＴ３）。ボタンが押下されない場合（ステップＴ３；Ｎｏ）、ＲＡＭディスク制御部４０１ｃは、カウンタをカウントダウンする（ステップＴ４）。その後、ＲＡＭディスク制御部４０１ｃは、ステップＴ２に移行させる。一方、ボタンが押下された場合（ステップＴ３；Ｙｅｓ）、カウンタを初期化して初期値に戻す（ステップＴ５）。その後、ＲＡＭディスク制御部４０１ｃは、ステップＴ２に移行させる。
【００７３】
一定時間経過した場合（ステップＴ２；Ｙｅｓ）、ＲＡＭディスク制御部４０１ｃは、ＲＡＭディスク４０３ｂを無効状態にする（ステップＴ６）。その際に、ＲＡＭディスク制御部４０１ｃは、ＲＡＭディスク４０３ｂに記憶されている画像ファイルを削除する（ステップＴ７）。
【００７４】
以上のように、本実施形態に係る電子黒板装置１００によれば、筆記面１０３を読み取って生成した画像ファイルは、ＵＳＢメモリ１５０が接続されていない場合には、ＲＡＭディスク４０３ｂに保存される。これにより、ＵＳＢメモリ１５０が使用できない環境においても、画像ファイルを保存することが可能となる。
【００７５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００７６】
なお、本実施形態において、電子黒板装置１００は、ローラ２０１が筆記シート１０２を回転搬送させる。そして、電子黒板装置１００は、固定されたＣＣＤラインセンサ３０４が筆記シート１０２に筆記された描画を読み取ることで画像データを読み取っている。しかし、電子黒板装置１００による画像データの読み取り方法は、これに限らない。例えば、画像データの読み取り方法は、電子黒板装置１００のホワイトボードなどの筆記面１０３にイメージスキャナを備え、ホワイトボードの上をイメージスキャナが移動することで描画を読み取る方法であってもよい。
【００７７】
なお、本実施形態において、画像ファイルのファイル名は、ＴＢ＿ＩＭＧｎｎ．ＴＩＦとなっており、画像ファイルフォーマットがＴＩＦＦ形式であることを示している。しかし、画像ファイルフォーマットは、これに限らない。例えば、ＰＤＦ形式や、ＪＰＥＧ形式であってもよい。
【００７８】
なお、本実施形態において、ＲＡＭディスク４０３ｂは、揮発性のメモリを採用している。しかし、ＲＡＭディスク４０３ｂは、不揮発性のメモリであってもよい。不揮発性のメモリの場合には、ＲＡＭディスク４０３ｂは、電源スイッチ１４１をＯＦＦにする操作がされたら、画像ファイルを削除後に電源スイッチ１４１をＯＦＦにすればよい。
【００７９】
なお、本実施形態において、画像ファイルはＲＡＭディスク４０３ｂに保存している。しかし、画像ファイルを保存する記憶媒体は、ＲＡＭ４０３に限らない。例えば、磁気ディスクや、光学ディスクや、フラッシュメモリや、ＳＳＤ（Solid  State  Drive）や、ＨＤＤ（Hard  disk  drive）などであってもよい。
【００８０】
なお、本実施形態において、ＵＳＢメモリ１５０に画像ファイルを記憶するとしたが、外部記憶装置は、ＵＳＢメモリに限らない。例えば、外付け磁気ディスクや、外付け光学ディスクや、外付けＳＳＤや、外付けＨＤＤなどであってもよい。
【００８１】
なお、本実施形態において、電子黒板装置と外部機器との接続インターフェイスは、ＵＳＢとしたが、接続インターフェイスはこれに限らない。例えば、Ｅｔｈｅｒｎｅｔ（登録商標）、ＩＥＥＥ１３９４、ｅＳＡＴＡ（External  Serial  ATA）、無線ＬＡＮ、Ｂｌｕｅｔｏｏｔｈ（登録商標）などであってもよい。
【００８２】
また、上記実施形態の各装置で実行されるプログラムは、各装置が備える記憶媒体（ＲＯＭ又は記憶部）に予め組み込んで提供するものとするが、これに限らず、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。さらに、記憶媒体は、コンピュータ或いは組み込みシステムと独立した媒体に限らず、ＬＡＮやインターネット等により伝達されたプログラムをダウンロードして記憶又は一時記憶した記憶媒体も含まれる。
【００８３】
また、上記実施形態の各装置で実行されるプログラムをインターネット等のネットワークに接続されたコンピュータ上に格納し、ネットワーク経由でダウンロードさせることにより提供するように構成してもよく、インターネット等のネットワーク経由で提供又は配布するように構成してもよい。
【符号の説明】
【００８４】
１００    電子黒板装置
１０２    筆記シート
１０３    筆記面
１０７    操作パネル
１４２    第１のＵＳＢポート
１４３    第２のＵＳＢポート
１４４    第３のＵＳＢポート
１５０    ＵＳＢメモリ
１６０    パーソナルコンピュータ
２０２    モータ
４０１ａ  盤面読み取り部
４０１ｂ  画像ファイル作成部（記憶制御部）
４０１ｃ  ＲＡＭディスク制御部（参照制御部）
４０１ｄ  ＵＳＢメモリ出力部
４０１ｅ  プリンタ出力部（印刷制御部）
４０３ｂ  ＲＡＭディスク
【先行技術文献】
【特許文献】
【００８５】
【特許文献１】特開２００８−４９５９４号公報
【図１】
2014233892.tif 000003
【図２】
2014233892.tif 000004
【図３】
2014233892.tif 000005
【図４】
2014233892.tif 000006
【図５】
2014233892.tif 000007
【図６】
2014233892.tif 000008
【図７】
2014233892.tif 000009
【図８】
2014233892.tif 000010